(57)【要約】【課題】  回線交換ネットワークにおいて実現されている中継台接続方法をＳＩＰネットワークにおいて実現する。【解決手段】  ＳＩＰネットワーク２に中継台サーバ４０を接続する。中継台サーバ４０は、ＰＳＴＮ１からＧＷ３１を経由して着信する複数の呼を受け付けて積滞する手段と、積滞呼数および着信呼情報を管理する手段と、積滞呼数や着信呼情報を１台または複数台の中継台端末４１〜４ｎに通知する手段と、中継台端末の応答操作によって着信呼を該当中継台端末に接続する手段とを備える。中継台サーバは、既存のＳＩＰネットワーク上の任意の中継台端末からは単独のＳＩＰ  ＵＡ端末に見えるよう動作する。また、内部的にはシステムへの複数の着信呼を積滞し、それらを任意の順番で１台または複数台の中継台端末で扱うことができるように動作する。【選択図】        図４
2005252995.tif 000002
【特許請求の範囲】
【請求項１】
ＰＳＴＮ中の端末と、ＳＩＰネットワークに接続された中継台端末とを中継する中継台接続システムにおいて、前記ＳＩＰネットワークに、
前記ＳＩＰネットワーク内に着信する呼を受け付けて積滞する呼受付手段と、
前記呼受付手段によって受信した各ＳＩＰメッセージを解析し各着信呼の呼情報や積滞呼数を管理する呼情報管理手段と、
前記呼受付手段によって受け付けた各着信呼について前記呼情報管理手段によって管理されている呼情報や積滞呼数に従い前記中継台端末との間でメッセージを送受信し中継台端末を制御する中継台端末制御手段と、
着信呼に対して任意の中継台端末が応答動作を行った場合に当該呼と当該中継台端末を接続し通話終了時に当該呼と当該中継台端末との間の接続を切断する呼制御動作を行う呼制御手段とを有する中継台サーバを接続したことを特徴とする中継台接続システム。
【請求項２】
ＰＳＴＮ中の端末と、ＳＩＰネットワークに接続された中継台端末とを中継する中継台接続方法であって、前記ＳＩＰネットワークに中継台サーバを接続し、
ＰＳＴＮ内の任意の端末から中継台サーバに向けて発呼するとＳＩＰサーバを介してゲートウェイとの間でＳＩＰの基本仕様で規定されているＩＮＶＩＴＥメッセージおよび各種ＳＩＰレスポンスが送受信され前記中継台サーバに呼が着信する段階と、
呼の着信によって中継台サーバは積滞呼数の増加および着信呼情報を記憶するとともに中継台端末それぞれに対し積滞呼数および着信呼情報を通知する段階と、
応答操作を行った中継台端末より中継台サーバに対しどの呼に応答するのか等の応答情報を送信する段階と、
中継台サーバはその応答情報に従ってＳＩＰサーバを介してＳＩＰメッセージを送受信する段階と、
中継台サーバは、記憶していた積滞呼数の減少を記憶し応答された着信呼の呼情報を削除してその旨を各中継台端末に通知し必要に応じて中継台端末の鳴動を停止させたり積滞呼数や着信呼情報の表示を更新させる段階と、
前記ＳＩＰメッセージ中の記述に従って、応答した中継台端末とゲートウェイとの間で音声や映像等のメディア情報を送受信することで通話が行われる段階とを有することを特徴とする中継台接続方法。
【請求項３】
前記ＳＩＰメッセージ中の記述により、前記メディア情報の送受信はゲートウェイと該当中継台端末との間で直接に行うことを特徴とする請求項２に記載の中継台接続方法。
【請求項４】
前記ＳＩＰメッセージ中の記述により、前記メディア情報の送受信は中継台サーバを介してゲートウェイと該当中継台端末との間で行うことを特徴とする請求項２に記載の中継台接続方法。
【発明の詳細な説明】
【技術分野】
【０００１】
本発明はＳＩＰ（Session Initiation Protocol）ネットワークにおける中継台接続システムに関する。
【背景技術】
【０００２】
中継台接続システムは回線交換ネットワークにおいて公知の接続方式であり、図６にその概要を示す（文献公知発明に係るものではない）。
【０００３】
図６に示すような回線交換ネットワークにおいて、ＰＳＴＮ（Public Switched Telephone Network：公衆交換電話網）から局線や中継線等を経由して呼が着信すると、交換機は自らが収容する１台または複数台の中継台端末の一斉呼出を開始し、積滞呼数の増加を記憶する。何れかの中継台端末がその呼出しに応答すると、交換機は応答した中継台端末に着信呼を接続し、積滞呼数の減少を記憶する。このとき、積滞呼数が０となる場合は、中継台端末の一斉呼出を停止する。この方法により、複数の着信呼を積滞し、それらを任意の順番で１台または複数台の中継台端末で扱うことができる。
【０００４】
なお、発呼側と被呼側エンドポイント間のＳＩＰセッションを効率的に確立するためのシステムおよび方法が提案されている（例えば、特許文献１参照）。
【０００５】
【特許文献１】特開２００２−３３５２６７（第１頁ー第２頁、図２）
【発明の開示】
【発明が解決しようとする課題】
【０００６】
しかしながら、上述の回線交換ネットワークにおいて実現されている中継台接続方式はＳＩＰの基本仕様で定義されていないため、ＳＩＰネットワークにおいては中継台接続方式が実現されていない。
【０００７】
また、特許文献１記載の技術は、ＳＩＰに準拠するインターネットテレフォニシステムのインテリジエントな通話のルーティングに関するものであり、ＳＩＰネットワークにおける中継台接続システムに関するものではない。
【０００８】
そこで、本発明の目的は、ＳＩＰネットワークにおいて中継台接続システムを実現することにある。
【課題を解決するための手段】
【０００９】
請求項１記載の発明は、ＰＳＴＮ（図１の１）中の端末と、ＳＩＰネットワーク（図１の２）に接続された中継台端末（図１の４１，４２…４ｎ）とを中継する中継台接続システムにおいて、ＳＩＰネットワークに、下記の各手段を有する中継台サーバ（図１の４０）を接続したことを特徴とする中継台接続システムである。
【００１０】
この中継台サーバは、ＳＩＰネットワーク内に着信する呼を受け付けて積滞する呼受付手段（図２の４０１）と、呼受付手段によって受信した各ＳＩＰメッセージを解析し各着信呼の呼情報や積滞呼数を管理する呼情報管理手段（図２の４０２）と、呼受付手段によって受け付けた各着信呼について呼情報管理手段によって管理されている呼情報や積滞呼数に従い中継台端末との間でメッセージを送受信し中継台端末を制御する中継台端末制御手段（図２の４０３）と、着信呼に対して任意の中継台端末が応答動作を行った場合に当該呼と当該中継台端末を接続し通話終了時に当該呼と当該中継台端末との間の接続を切断する呼制御動作を行う呼制御手段（図２の４０４）とを有する。
【００１１】
請求項２記載の発明は、ＰＳＴＮ中の端末と、ＳＩＰネットワークに接続された中継台端末とを中継する中継台接続方法であって、ＳＩＰネットワークに中継台サーバを接続し、ＰＳＴＮ内の任意の端末から中継台サーバに向けて発呼するとＳＩＰサーバを介してゲートウェイとの間でＳＩＰの基本仕様で規定されているＩＮＶＩＴＥメッセージおよび各種ＳＩＰレスポンスが送受信され前記中継台サーバに呼が着信する段階（図４のＳ１）と、呼の着信によって中継台サーバは積滞呼数の増加および着信呼情報を記憶するとともに中継台端末それぞれに対し積滞呼数および着信呼情報を通知する段階（図４のＳ２）と、応答操作を行った中継台端末より中継台サーバに対しどの呼に応答するのか等の応答情報を送信する段階（図４のＳ３）と、中継台サーバはその応答情報に従ってＳＩＰサーバを介してＳＩＰメッセージを送受信する段階（図４のＳ４，図５のＳ４’）と、中継台サーバは、記憶していた積滞呼数の減少を記憶し応答された着信呼の呼情報を削除してその旨を各中継台端末に通知し必要に応じて中継台端末の鳴動を停止させたり積滞呼数や着信呼情報の表示を更新させる段階（図４のＳ５）と、ＳＩＰメッセージ中の記述に従って、応答した中継台端末とゲートウェイとの間で音声や映像等のメディア情報を送受信することで通話が行われる段階（図４のＳ６，図５のＳ６’）とを有することを特徴とする中継台接続方法である。
【発明の効果】
【００１２】
本発明によれば、既存のＳＩＰネットワークに新たに中継台サーバと１台または複数台の中継台端末を追加し、それら複数の端末が協調し、既存のＳＩＰネットワークから見て単独のＳＩＰ  ＵＡ端末のように見せかけるとともに、内部では中継台接続を実現するよう動作するため、既存のＳＩＰネットワークに変更を加えることなく、ＳＩＰの基本仕様で定義されていない中継台接続システムを実現できるという効果を得ることができる。
【００１３】
更に、中継台サーバを介してメディア情報を送受信する方法を採用すれば、複数の中継台端末が扱う通話を一元管理することが可能になるため、ＳＩＰネットワークにおいて新たなサービスを容易に提供することができるという効果も得られる。
【発明を実施するための最良の形態】
【００１４】
本発明の中継台接続システムは、ＰＳＴＮ中の端末と、ＳＩＰネットワークに接続された中継台端末とを中継する中継台接続システムにおいて、ＳＩＰネットワークに、ＳＩＰネットワーク内に着信する呼を受け付けて積滞する呼受付手段と、呼受付手段によって受信した各ＳＩＰメッセージを解析し各着信呼の呼情報や積滞呼数を管理する呼情報管理手段と、呼受付手段によって受け付けた各着信呼について呼情報管理手段によって管理されている呼情報や積滞呼数に従い中継台端末との間でメッセージを送受信し中継台端末を制御する中継台端末制御手段と、着信呼に対して任意の中継台端末が応答動作を行った場合に当該呼と当該中継台端末を接続し通話終了時に当該呼と当該中継台端末との間の接続を切断する呼制御動作を行う呼制御手段とを有する中継台サーバを接続したものである。
【実施例１】
【００１５】
図１を参照すると、本発明の中継台接続システムは、ＰＳＴＮ１，ＳＩＰネットワーク２，ＳＩＰサーバ３０，ＧＷ（ＳＩＰゲートウェイ装置）３１，中継台サーバ４０およびｎ個の中継台端末４１，４２…４ｎで構成されている。以下、中継台端末４１，４２…４ｎについて一般的な記述をする場合には中継台端末４Ｘと記す。
【００１６】
なお、中継台サーバ４０と中継台端末４Ｘは、それぞれ物理的に別個の装置であってもよいし、一台の装置にまとめてあってもよい。また、ＰＳＴＮ１の代わりとしてＨ．３２３ネットワーク，ＭＧＣＰネットワーク等の他のネットワークが存在したり、ＧＷ３１の代わりにＳＩＰ電話機端末等の各種ＳＩＰ  ＵＡ（ユーザ・エージェント）端末が存在してもよい。
【００１７】
中継台サーバ４０は、図２に示すように、呼受付手段４０１と、呼情報管理手段４０２と、中継台端末制御手段４０３と、呼制御手段４０４とを含む。
【００１８】
呼受付手段４０１は、ＧＷ３１等の既存のＳＩＰ  ＵＡ端末やＳＩＰサーバ３０等から送信されるＳＩＰメッセージを受信して、着信呼を受け付け積滞する。
【００１９】
呼情報管理手段４０２は、呼受付手段４０１によって受信した各ＳＩＰメッセージを解析し、各着信呼の呼情報や積滞呼数を管理する。この呼情報には、例えば発呼者端末のＳＩＰ  ＵＲＩ等の発呼者情報や、ＳＩＰメッセージに付属するメディアネゴシエーション情報等が含まれる。
【００２０】
中継台端末制御手段４０３は、呼受付手段４０１によって受け付けた各着信呼について、呼情報管理手段４０２によって管理されている呼情報や積滞呼数に従って中継台端末４Ｘとの間でメッセージを送受信し、各中継台端末４Ｘを制御する。
【００２１】
呼制御手段４０４は、着信呼に対して任意の中継台端末４Ｘが応答動作を行った場合に、当該呼と当該中継台端末４Ｘを接続したり、通話終了時に当該呼と当該中継台端末４Ｘ
との間の接続を切断したりする呼制御動作を行う。
【００２２】
中継台端末４Ｘは、図３に示すように、呼情報表示手段４１１と、発呼手段４１２と、呼応答手段４１３と、通話手段４１４とを含む。通話手段４１４には、マイクやカメラ等の入力デバイス４１ａと、スピーカやモニタ等の出力デバイス４１ｂが接続されている。
【００２３】
呼情報表示手段４１１は、中継台サーバ４０の中継台端末制御手段４０３によって中継台サーバ４０との間で送受信されるメッセージを受けて、各呼に関する呼情報を中継台端末４Ｘ上で表示する。例えば、着信時の呼出音の鳴動や、通話中の発呼者情報の表示等を行う。
【００２４】
発呼手段４１２は、中継台端末４Ｘ上での発呼操作を受けて、任意の相手端末に向けた発呼動作を行う。
【００２５】
呼応答手段４１３は、中継台端末４Ｘ上での応答操作を受けて、任意の着信呼に対する応答を中継台サーバ４０に通知し、中継台サーバ４０による呼制御を依頼したり、通話に先立ってメディアネゴシエーション情報等のメッセージの送受信を行ったりする。
【００２６】
通話手段４１４は、呼応答手段４１３によって交換したメディアネゴシエーション情報等に従って、入力デバイス４１ａから入力された音声や映像等のメディア情報を相手端末に送信したり、逆に相手端末から受信したそれらのメディア情報を出力デバイス４１ｂに出力したりする。
【００２７】
次に、以上のように構成された本実施例の中継台接続方法について図４を参照して説明する。
【００２８】
先ず、ＰＳＴＮ１内の任意の端末から中継台サーバ４０に向けて発呼すると、ＳＩＰネットワーク２においてはＧＷ３１と中継台サーバ４０との間で、直接またはＳＩＰサーバ３０を介して、ＳＩＰの基本仕様で規定されているＩＮＶＩＴＥメッセージおよび各種ＳＩＰレスポンスが送受信され、中継台サーバ４０に呼が着信する（図４のステップＳ１）。
【００２９】
呼の着信によって中継台サーバ４０は積滞呼数の増加および着信呼情報を記憶するとともに、中継台端末４１，４２…４ｎそれぞれに対し、積滞呼数および着信呼情報を通知する（ステップＳ２）。その通知に従って、各中継台端末４１，４２…４ｎでは必要に応じて端末の鳴動の開始を行ったり、積滞呼数および着信呼情報の表示を行ったりする。
【００３０】
続いて、任意の中継台端末４Ｘ（図４においては中継台端末４１とする）において応答操作を行うと、中継台端末４１より中継台サーバ４０に対し、どの呼に応答するのか等の応答情報が送信される（ステップＳ３）。
【００３１】
中継台サーバ４０はその応答情報に従って、直接またはＳＩＰサーバ３０を介してＧＷ３１との間でＯＫメッセージおよびＡＣＫメッセージ等を送受信する。これらのＳＩＰメッセージ中には、ＳＩＰメッセージの送受信はＧＷ３１と中継台サーバ４０との間で行い、音声や映像等のメディア情報の送受信はＧＷ３１と該当中継台端末との間で行う旨を記述する（ステップＳ４）。
【００３２】
また、中継台サーバ４０は、同時に、記憶していた積滞呼数の減少を記憶し、応答された着信呼の呼情報を削除する。そして、その旨を各中継台端末４１，４２…４ｎに通知して、必要に応じて中継台端末４１，４２…４ｎの鳴動を停止させたり積滞呼数や着信呼情報の表示を更新させたりする（ステップＳ５）。
【００３３】
最後に、ステップＳ４の呼制御に従って、応答した中継台端末４１とＧＷ３１との間で音声や映像等のメディア情報を直接送受信することにより通話が行われる（ステップＳ６）。
【００３４】
なお、以後の保留，転送および終話等の際には、応答時のステップＳ４の動作と同様に、当該中継台端末４１の代わりに中継台サーバ４０がＳＩＰメッセージを送受信することで呼制御を行い、メディア情報は当該中継台端末４１と通話相手との間で直接送受信する。また、新たな呼の着信の際には、前述のステップＳ１〜Ｓ６の動作を繰り返し、複数の呼の着信に対応する。
【００３５】
この中継台接続方法では、上記のように、中継台サーバ４０が中継台端末４Ｘの代わりに着信呼を積滞し、積滞呼数や呼情報等を各中継台端末４Ｘに同報するように構成されているため、ＧＷ３１等の既存のＳＩＰ  ＵＡ端末から見ると単独の装置（中継台サーバ４０）との間で呼制御が行われるように振る舞うことができる。
【００３６】
更に、実際の通話（メディア情報の送受信）は、複数の中継台端末４Ｘのうち応答操作を行った任意の中継台端末４１との間で行い、ＳＩＰサーバ３０に負担をかけないので、既存のＳＩＰネットワーク２に影響を与えることなく中継台接続を実現することができる。
【００３７】
次に、本実施例による第２の中継台接続方法について図５を参照して説明する。
【００３８】
先ず、ＰＳＴＮ１内の任意の端末から中継台サーバ４０に向けて発呼すると、上述の第１の方法におけるステップＳ１〜Ｓ３と同様に、着信呼の積滞および任意の中継台端末４Ｘ（図５においては中継台端末４１とする）による応答が行われる。
【００３９】
中継台サーバ４０はその応答情報に従って、直接またはＳＩＰサーバ３０を介してＧＷ３１との間でＯＫメッセージおよびＡＣＫメッセージ等を送受信する。これらのＳＩＰメッセージ中には、第１の方法におけるのとは違って、ＳＩＰメッセージの送受信および音声や映像等のメディア情報の送受信は、ともに中継台サーバ４０を介して行う旨を記述する（ステップＳ４’）。
【００４０】
また、中継台サーバ４０は、同時に、記憶していた積滞呼数の減少を記憶し、応答された着信呼の呼情報を削除する。そして、その旨を各中継台端末４１，４２…４ｎに通知して、必要に応じて各中継台端末４１，４２…４ｎの鳴動を停止させたり積滞呼数や着信呼情報の表示を更新させたりする（ステップＳ５）。
【００４１】
最後に、ステップＳ４’の呼制御に従って、中継台サーバ４０を介して、応答した中継台端末４１とＧＷ３１との間で音声や映像等のメディア情報の送受信を行うことにより通話が行われる（ステップＳ６’）
なお、以後の保留，転送および終話等の際には、応答時のステップＳ４’の動作と同様に、当該中継台端末４１の代わりに中継台サーバ４０がＳＩＰメッセージを送受信することで呼制御を行い、メディア情報も中継台サーバ４０を介して送受信する。また、新たな呼の着信の際には、前述のステップＳ１〜Ｓ３，Ｓ４’，Ｓ５およびＳ６’の動作を繰り返し、複数の呼の着信に対応する。
【００４２】
第２の中継台接続方法では、上記のように、ＳＩＰメッセージだけでなくメディア情報も中継台サーバ４０を介して送受信するように構成されているため、前述の第１の中継台接続方法による効果に加え、中継台サーバ４０で中継台端末４Ｘが送受信するメディア情報の集中管理を行い、新たなサービスを容易に提供することができるという効果が得られる。例えば、音声や映像のミキシングによる会議通話サービス，音声や映像の蓄積による録音・録画サービス等を容易に提供することができる。
【図面の簡単な説明】
【００４３】
【図１】本発明の中継台接続システムの一実施例を示すブロック図
【図２】図２の中継台サーバの構成を示すブロック図
【図３】図２の中継台端末の構成を示すブロック図
【図４】本発明の第１の中継台接続方法を示す図
【図５】本発明の第２の中継台接続方法を示す図
【図６】従来の中継台接続システムを示すブロック図
【符号の説明】
【００４４】
１            ＰＳＴＮ（公衆交換電話網）
２            ＳＩＰネットワーク
３０          ＳＩＰサーバ
３１          ＧＷ（ＳＩＰゲートウェイ装置）
４０          中継台サーバ
４１〜４ｎ    中継台端末
４０１        呼受付手段
４０２        呼情報管理手段
４０３        中継台端末制御手段
４０４        呼制御手段
４１１        呼情報表示手段
４１２        発呼手段
４１３        呼応答手段
４１４        通話手段
４１ａ        入力デバイス
４１ｂ        出力デバイス
【図１】
2005252995.tif 000003
【図２】
2005252995.tif 000004
【図３】
2005252995.tif 000005
【図４】
2005252995.tif 000006
【図５】
2005252995.tif 000007
【図６】
2005252995.tif 000008